(57)【要約】      （修正有）【課題】毛髪の酸性度を正常な状態に戻すイオンバランス機能を有するブラシ付きヘアドライヤーを提供する。【解決手段】ハンドル部本体１０とブラシ部本体とを有し、ハンドル部本体の吹出口側となる前部２０には、ヒータ２１、プラスイオン電極針２２及びマイナスイオン電極針２３を設け、ハンドル部本体の後部３０には、モータ３２、ファン３３、イオン発生器用トランス３４ａ及び回路基板３１を設け、ファンの回転による空気流と共に、ブラシ部本体を通じてプラスイオンとマイナスイオンとを毛髪に対して送出するように構成し、プラスイオンとマイナスイオンの交互発生及び停止を切り替えるイオン発生切替スイッチ１１を設け、毛髪に対し、空気流と共にプラスイオンとマイナスイオンとを交互に送出することにより、毛髪の酸性度をｐＨ４．５〜５．５の範囲内又は前記数値範囲に近付けることが可能となる。【選択図】図７
2019208648.tif 000002
【特許請求の範囲】
【請求項１】
ハンドル部本体とブラシ部本体とから構成され、
ハンドル部本体に対してブラシ部本体を着脱可能とし、
ハンドル部本体の吹出口側となる前部には、ヒータ、プラスイオン発生器及びマイナスイオン発生器を設け、
ハンドル部本体の後部には、モータ、ファン及びイオン発生器用トランスを設け、
ファンの回転による空気流と共に、ブラシ部本体を通じてプラスイオン発生器から発生するプラスイオンとマイナスイオン発生器から発生するマイナスイオンとを毛髪に対して送出するようにし、
また、プラスイオン発生器とマイナスイオン発生器とを交互に作動させる回路と、両イオン発生器の作動を停止させる回路とを設けて、これらの回路を切り替えるイオン発生切替スイッチ、又は、プラスイオン発生器とマイナスイオン発生器とを交互に作動させる回路と、マイナスイオン発生器のみを作動させる回路とを設けて、これらの回路を切り替えるイオン発生切替スイッチ、又は、プラスイオン発生器とマイナスイオン発生器とを交互に作動させる回路と、マイナスイオン発生器のみを作動させる回路と、両イオン発生器の作動を停止させる回路とを設けて、これらの回路を切り替えるイオン発生切替スイッチを設け、
毛髪に対し、空気流と共にプラスイオンとマイナスイオンとを交互に送出することにより、毛髪の酸性度をｐＨ４．５〜５．５の範囲内又は前記数値範囲に近付ける
ことを特徴とするイオンバランス機能を有するブラシ付きヘアドライヤー。
【請求項２】
プラスイオン発生器とマイナスイオン発生器とを交互に作動させる回路において、
パルス制御によりマイナスイオン発生器の作動時間がプラスイオン発生器の作動時間よりも長くなるように構成することにより毛髪に潤いを補給する
ことを特徴とする請求項１に記載のイオンバランス機能を有するブラシ付きヘアドライヤー。
【請求項３】
プラスイオン発生器とマイナスイオン発生器とを交互に作動させる回路において、
パルス制御によりプラスイオン発生器の作動時間がマイナスイオン発生器の作動時間よりも長くなるように構成することにより毛髪のボリュームアップと毛髪のキューティクルを引き締める
ことを特徴とする請求項１又は２に記載のイオンバランス機能を有するブラシ付きヘアドライヤー。
【請求項４】
風量調整切替スイッチとヒータ切替スイッチとを設けた
ことを特徴とする請求項１〜３のいずれか１項に記載のイオンバランス機能を有するブラシ付きヘアドライヤー。
【請求項５】
風量調整及びヒータの切替と共に、プラスイオン発生器とマイナスイオン発生器とを交互に作動させる時間を変化させる
ことを特徴とする請求項１〜４のいずれか１項に記載のイオンバランス機能を有するブラシ付きヘアドライヤー。
【請求項６】
プラスイオン発生器とマイナスイオン発生器とを交互に作動させる回路において、
パルス制御によりマイナスイオン発生器の作動時間が長くなるように構成して毛髪に潤いを補給するときは、
ブラシ部本体として、一対の対向するプレートからなり、一対のプレートが対向する側にブラシ部を備え、一対のプレート間に毛髪を挟み込むことが可能な狭着型ブラシを使用する
ことを特徴とする請求項１〜５のいずれか１項に記載のイオンバランス機能を有するブラシ付きヘアドライヤー。
【請求項７】
プラスイオン発生器とマイナスイオン発生器とを交互に作動させる回路において、
パルス制御によりプラスイオン発生器の作動時間が長くなるように構成して毛髪をボリュームアップし、毛髪のキューティクルを引き締めるときは、
ブラシ部本体として、外側にブラシ部を有し、ブラシ部に毛髪を巻き付けることが可能な巻き型ブラシを使用する
ことを特徴とする請求項１〜６のいずれか１項に記載のイオンバランス機能を有するブラシ付きヘアドライヤー。
【請求項８】
ハンドル部本体後部において、ハンドル部本体の前後方向に直交する方向の断面形状が各角部を角丸とした三角形状とし、
それぞれの角部にイオン発生器用トランス、イオン発生切替スイッチ及び回路基板の内のいずれか又は全てを設置した
ことを特徴とする請求項１〜７のいずれか１項に記載のイオンバランス機能を有するブラシ付きヘアドライヤー。
【発明の詳細な説明】
【技術分野】
【０００１】
本発明は、毛髪を正常な酸性度に戻すためのヘアドライヤーに関し、特に毛髪の乾燥及び毛髪をカール又はストレートにセットをするイオンバランス機能を有するブラシ付きヘアドライヤー（以下、単に「ヘアドライヤー」という。）に関する。
【背景技術】
【０００２】
毛髪をブラシや櫛によりブラッシングを行うと毛髪に静電気が発生し、また、この静電気が毛髪のキューティクルに影響を与え、毛髪にダメージを与える問題がある。
【０００３】
これを解消するために、従来より、マイナスイオンを毛髪に付与し、マイナスイオンを毛髪内部まで浸透させて毛髪をさらさらにすることが発案されている。
【０００４】
しかしながら、静電気にはプラスとマイナスとがあるため、マイナスイオンのみを毛髪に付与することは適切でない場合がある。
【０００５】
そこで、下記特許文献１に記載のヘアセット機器が開発された。当該ヘアセット機器は、毛髪に対して空気流を送出する空気流出路と、該空気流出路内に設けられて空気吐出口から空気流を送出するファンとを備えたヘアセット機器であって、前記空気流出路内にプラスイオン・マイナスイオン発生器を設け、前記空気流と共にプラスイオンとマイナスイオンとを毛髪に対して送出する構成のものであり、このように構成したことにより、ブラッシングに際して毛髪に発生する静電気のプラス電荷とマイナス電荷との両方に、それぞれ対応してプラスイオンとマイナスイオンが作用することになり、静電気の帯電状態を除去することができ、その結果、静電気による毛髪への悪影響が除去され、毛髪へのダメージを減少させると共に、意図する毛髪のセットが容易に行えることを目的とするものである。
【先行技術文献】
【特許文献】
【０００６】
【特許文献１】特開２００８−４９１０１号公報
【発明の概要】
【発明が解決しようとする課題】
【０００７】
しかしながら、上記特許文献１に示されるヘアセット装置は、毛髪に発生する静電気のプラス電荷とマイナス電荷とに対応してプラスイオンとマイナスイオンが作用するだけのものにすぎない。したがって、使用者が毛髪にプラス又はマイナスのいずれが帯電しているかを独自に判断して操作する必要があり、プラスに帯電している場合にプラスイオンを作用させたり、マイナスに帯電している場合にマイナスイオンを作用させることは毛髪への悪影響が助長するおそれがある。仮にプラスに帯電している場合にマイナスイオンを付与していても、度が過ぎると逆にマイナスに帯電してしまうおそれがあり、毛髪が正常な状態になった時点で操作を停止することは容易ではない。
【０００８】
本発明は、主としてプラスイオンとマイナスイオンとを交互に発生させることにより、毛髪の酸性度を正常な状態に戻すブラシ付きヘアドライヤーを提供することを目的とするものである。
【課題を解決するための手段】
【０００９】
本発明の請求項１に係るヘアドライヤーは、ハンドル部本体とブラシ部本体とから構成され、ハンドル部本体に対してブラシ部本体を着脱可能とし、ハンドル部本体の吹出口側となる前部には、ヒータ、プラスイオン発生器及びマイナスイオン発生器を設け、ハンドル部本体の後部には、モータ、ファン及びイオン発生器用トランスを設け、ファンの回転による空気流と共に、ブラシ部本体を通じてプラスイオン発生器から発生するプラスイオンとマイナスイオン発生器から発生するマイナスイオンとを毛髪に対して送出するようにし、また、プラスイオン発生器とマイナスイオン発生器とを交互に作動させる回路と、両イオン発生器の作動を停止させる回路とを設けて、これらの回路を切り替えるイオン発生切替スイッチ、又は、プラスイオン発生器とマイナスイオン発生器とを交互に作動させる回路と、マイナスイオン発生器のみを作動させる回路とを設けて、これらの回路を切り替えるイオン発生切替スイッチ、又は、プラスイオン発生器とマイナスイオン発生器とを交互に作動させる回路と、マイナスイオン発生器のみを作動させる回路と、両イオン発生器の作動を停止させる回路とを設けて、これらの回路を切り替えるイオン発生切替スイッチを設け、毛髪に対し、空気流と共にプラスイオンとマイナスイオンとを交互に送出することにより、毛髪の酸性度をｐＨ４．５〜５．５の範囲内又は前記数値範囲に近付けることを特徴とする。
【００１０】
本発明の請求項２に係るヘアドライヤーは、上記請求項１に係るヘアドライヤーの構成に加えて、プラスイオン発生器とマイナスイオン発生器とを交互に作動させる回路において、パルス制御によりマイナスイオン発生器の作動時間がプラスイオン発生器の作動時間よりも長くなるように構成することにより毛髪に潤いを補給することを特徴とする。
【００１１】
本発明の請求項３に係るヘアドライヤーは、上記請求項１又は２に記載のヘアドライヤーの構成に加えて、プラスイオン発生器とマイナスイオン発生器とを交互に作動させる回路において、パルス制御によりプラスイオン発生器の作動時間がマイナスイオン発生器の作動時間よりも長くなるように構成することにより毛髪のボリュームアップと毛髪のキューティクルを引き締めることを特徴とする。
【００１２】
本発明の請求項４に係るヘアドライヤーは、上記請求項１〜３のいずれか１項に記載のヘアドライヤーの構成に加えて、風量調整切替スイッチとヒータ切替スイッチとを設けたことを特徴とする。
【００１３】
本発明の請求項５に係るヘアドライヤーは、上記請求項１〜４のいずれか１項に記載のヘアドライヤーの構成に加えて、風量調整及びヒータの切替と共に、プラスイオン発生器とマイナスイオン発生器とを交互に作動させる時間を変化させることを特徴とする。
【００１４】
本発明の請求項６に係るヘアドライヤーは、上記請求項１〜５のいずれか１項に記載のヘアドライヤーの構成に加えて、プラスイオン発生器とマイナスイオン発生器とを交互に作動させる回路において、パルス制御によりマイナスイオン発生器の作動時間が長くなるように構成して毛髪に潤いを補給するときは、ブラシ部本体として、一対の対向するプレートからなり、一対のプレートが対向する側にブラシ部を備え、一対のプレート間に毛髪を挟み込むことが可能な狭着型ブラシを使用することを特徴とする。
【００１５】
本発明の請求項７に係るヘアドライヤーは、上記請求項１〜６のいずれか１項に記載のヘアドライヤーの構成に加えて、プラスイオン発生器とマイナスイオン発生器とを交互に作動させる回路において、パルス制御によりプラスイオン発生器の作動時間が長くなるように構成して毛髪をボリュームアップし、毛髪のキューティクルを引き締めるときは、ブラシ部本体として、外側にブラシ部を有し、ブラシ部に毛髪を巻き付けることが可能な巻き型ブラシを使用することを特徴とする。
【００１６】
本発明の請求項８に係るヘアドライヤーは、上記請求項１〜７のいずれか１項に記載のヘアドライヤーの構成に加えて、ハンドル部本体後部において、ハンドル部本体の前後方向に直交する方向の断面形状が各角部を角丸とした三角形状とし、それぞれの角部にイオン発生器用トランス、イオン発生切替スイッチ及び回路基板の内のいずれか又は全てを設置したことを特徴とする。
【００１７】
［本発明の作用］
毛髪にプラスイオン又はマイナスイオンを付与することの作用について、図１の説明図に基づいて説明する。
【００１８】
毛髪の正常なｐＨ値は、４．５〜５．５の弱酸性であるが、毛髪が乾燥した場合などには、図１において左半部側のｐＨ４．５以下のプラス電子が多くなる状態となり、シャンプー後の場合などには図１において右半部側のｐＨ５．５以上のマイナス電子が多くなる状態となる。
【００１９】
すなわち、乾燥した毛髪は、プラス電子に帯電して静電気が発生しやすくなっており、また、マイナスイオンだけを付与し続けるとマイナス電子に帯電し、マイナスイオンが毛髪に付着しにくくなるので、プラスイオンとマイナスイオンとを交互に付与することにより、プラスに偏った電荷を中和させることでプラスに帯電した毛髪に対してはマイナスイオン効果が高まる。
【００２０】
ヘアカラーやパーマあるいはシャンプー後の毛髪はアルカリ性に傾き、これに起因してキューティクルが開いて栄養分が外部に出やすくなっており、プラスイオンを付与することにより、キューティクルを引き締めてアルカリ性の毛髪を弱酸性に導き、逆に乾燥した毛髪は酸性に傾くため静電気が発生しがちになるので、マイナスイオンを付与することにより弱酸性に導く。
【００２１】
濡れたままの毛髪が摩擦などでこすれると、開いたキューティクルが傷つき、また、枝毛や切れ毛の原因となるため、プラスイオンを付与することにより、シャンプー後は水分で開いたキューティクルを引き締めた上でしっかりと乾燥させることで、毛髪が痛む原因となる生乾きを防ぎ、潤いのある艶やかな毛髪を保つことができる。
【００２２】
プラスイオン及びマイナスイオンの交互発生により、シャンプー後にしっかり乾かしながらアルカリ性に傾いた毛髪を弱酸性へ導き、プラスイオン及びマイナスイオンの交互発生により、マイナスイオン効果を高める。
【００２３】
プラスに帯電した毛髪に対してマイナスイオンを付与すると互いに引き合うことで中和が促進する。そのまま続けてマイナスイオンを付与するとマイナスに帯電してアルカリ性化してしまうが、本発明はプラスイオン及びマイナスイオンの交互発生により、マイナスに帯電した毛髪を中和させ、これを繰り返すことにより、毛髪のｐＨは正常値の４．５〜５．５の範囲に入るか若しくはそれに近似することになり、毛髪に対して最適な状態となる。
【発明の効果】
【００２４】
本発明に係るヘアケア装置は、プラスイオンとマイナスイオンとを自動的に交互に発生させることにより、毛髪の酸性度を正常な状態に戻すことが可能になる。
【図面の簡単な説明】
【００２５】
【図１】毛髪に対するプラスイオン又はマイナスイオンを付与することの作用を示す説明図である。
【図２】本発明の実施例１に係るヘアドライヤーの正面図である。
【図３】図１に示すヘアドライヤーにおいて、ブラシ部本体を取り外したハンドル部本体の背面図である。
【図４】図１に示すヘアドライヤーにおけるブラシ部本体のみをやや下に向けて表した斜視図である。
【図５】図１に示すヘアドライヤーにおいて、ブラシ部本体を省略して表した平面図である。
【図６】図１に示すヘアドライヤーにおいて、ブラシ部本体を省略して表した底面図である。
【図７】図１に示すヘアドライヤーにおけるハンドル部本体の内部構造を示すＡ−Ａ線概略拡大断面図である。
【図８】図１に示すヘアドライヤーにおけるハンドル部本体の前部の内部構造を示すＢ−Ｂ線概略拡大断面図である。
【図９】図１に示すヘアドライヤーにおけるハンドル部本体の後部の内部構造を示すＣ−Ｃ線概略拡大断面図である。
【図１０】本発明の実施例１に係るヘアドライヤーのイオン発生機構を示す概略回路図である。
【図１１】本発明の実施例１に係るヘアドライヤーにおいて、プラスイオンとマイナスイオンとが交互に発生する状態を示す印加電圧出力波形を示す図である。
【図１２】本発明の実施例１に係るヘアドライヤーにおいて、パルス制御によりマイナスイオン発生器の作動時間が長くなるように構成した場合のプラスイオンとマイナスイオンとが交互に発生する状態を示す印加電圧出力波形を示す図である。
【図１３】本発明の実施例１に係るヘアドライヤーにおいて、パルス制御によりプラスイオン発生器の作動時間が長くなるように構成した場合のプラスイオンとマイナスイオンとが交互に発生する状態を示す印加電圧出力波形を示す図である。
【図１４】本発明の実施例１におけるブラシ部本体の変更例であって、（ａ）は正面図であり、（ｂ）は左側面図である。
【図１５】図１４に示すブラシ部本体の平面図ある。
【図１６】図１４に示すブラシ部本体における上側ブラシ体の下面の構造を示す図である。
【図１７】図１４に示すブラシ部本体における下側ブラシ体の上面の構造を示す図である。
【図１８】図１４に示すブラシ部本体において、上側ブラシ体と下側ブラシ体とを開いた状態を示す正面図である。
【発明を実施するための形態】
【００２６】
次に本発明の好適な実施例を添付の図面に基づいて詳細に説明する。
【実施例１】
【００２７】
図２において、Ａはヘアドライヤーを示し、ヘアドライヤーＡはハンドル部本体１０とブラシ部本体５０とから構成される、いわゆるブラシ付きヘアドライヤーであり、ブラシ部本体５０は、ハンドル部本体１０に対して着脱自在に構成されている。当該ブラシ部本体５０は、断面が半円形の筒状をなし、平面にブラシ５１が備えられており、ブラシ５１と半円の曲面部を利用して毛髪を巻き付けることができる、いわゆる巻き型ブラシである。なお、巻き型ブラシとしてのブラシ部本体は、前記ブラシ部本体５０に代えて、断面円筒状で周面に放射状に突出するブラシを備えたものを使用してもよい。
【００２８】
図３は、ヘアドライヤーＡからブラシ部本体５０を取り外したハンドル部本体１０のみのを表したものであり、その前部（図において左側）２０には、ブラシ部本体５０を取り外すための着脱操作ボタン１０ａが備えられている。図４は取り外したブラシ部本体５０のみを表したものである。そして、後述する変更例のように他の構造のブラシ部本体１５０をハンドル部本体１０に取り付けて使用することができる。図５及び図６は、ブラシ部本体５０を省略して表した平面図及び底面図である。なお、電源コードは図示を省略する。
【００２９】
本実施例におけるヘアドライヤーＡは、基本構成として、ハンドル部本体１０からブラシ部本体５０に向けて空気が流れ、ブラシ部本体５０から毛髪に向かって空気が送出されるようになっている。本実施例においてはブラシ５１が形成されている面から、通気孔５２を通じて空気が送出される。
【００３０】
そして、図２に示すように、ハンドル部本体１０には、空気流と共に送出するプラスイオンとマイナスイオンの交互発生及び停止を切り替えるイオン発生切替スイッチ１１が備えられている。また、図５に示すように、送出する空気流の温度の高、低を切り替えるヒータ切替スイッチ１２を備えられている。さらに、図６に示すように、空気流の強、弱、停止を切り替える風量調整切替スイッチ１３が備えられている。これら各切替スイッチによりそれぞれの機能を果たす構造を備えている。
【００３１】
次に図７〜図９によりヘアドライヤーＡにおけるハンドル部本体１０の内部構造について詳述する。
【００３２】
図７及び図８に示すように、ハンドル部本体１０の前部２０は、空気が送出される吹出口側であって、当該前部２０には、ヒータ２１、プラスイオン発生器を構成するプラスイオン電極針２２及びマイナスイオン発生器を構成するマイナスイオン電極針２３が内蔵されており、不図示の配線により、ハンドル部本体１０の後部３０に設置され、プラスイオン発生器及びマイナスイオン発生器を構成するイオン発生器用トランス３４ａ、３４ｂ及び回路基板３１に接続されている。なお、プラスイオンが発生する電極針及びマイナスイオンが発生する電極針の配置や個数は本実施例のものに限られるものではない。
【００３３】
また、回路基板３１に組み込まれているプラスイオン発生器とマイナスイオン発生器とを交互に作動させる回路において、パルス制御により、マイナスイオン発生器の作動時間がプラスイオン発生器の作動時間よりも長くなる場合と、プラスイオン発生器の作動時間がマイナスイオン発生器の作動時間よりも長くなる場合とに構成されている。そして、プラスイオン発生器の作動時間を長くした場合は、本実施例におけるブラシ部本体５０を使用すれば、毛髪をボリュームアップし、毛髪のキューティクルを引き締めることができる。また、マイナスイオン発生器の作動時間を長くした場合は、後述するブラシ部本体１５０を使用すれば、毛髪に潤いを補給することができる。
【００３４】
さらに、回路基板３１には、風量調整切替及びヒータ切替と共に、プラスイオン発生器とマイナスイオン発生器とを交互に作動させる時間を変化させる構成が組み込まれている。
【００３５】
また、図７に示すように、ハンドル部本体１０の後部３０には、イオン発生切替スイッチ１１の内蔵パーツ１１ａ、前述した回路基板３１、モータ３２、ファン３３、及び、前述したイオン発生器用トランス３４ａ、３４ｂが内蔵されている。
【００３６】
当該ハンドル部本体１０の後部３０は、図９に示すように、ハンドル部本体１０の前後方向に直交する方向の断面形状が各角部を角丸とした三角形状に形成したことにより、モータ３２の外方に形成された角部３箇所の空間部に、回路基板３１、及び、イオン発生器用トランス３４ａ、３４ｂが設置されている。なお、当該角部に設置するものは前記したものに限られるものではない。
【００３７】
以上の構成により、モータ３２に取り付けられたファン３３の回転により、空気流がハンドル部本体１０からブラシ部本体５０に送出される。
【００３８】
そして、上記の構成により、毛髪に対し、空気流と共にプラスイオンとマイナスイオンとを交互に送出することにより、毛髪の酸性度をｐＨ４．５〜５．５の範囲内又は前記数値範囲に近付けることが可能となる。また、マイナスイオン発生器の作動時間が長くなるように設定した場合には、毛髪にマイナスイオンが長く送出されるので、毛髪に潤いを補給することになる。さらに、プラスイオン発生器の作動時間が長くなるように設定した場合には、毛髪にプラスイオンが長く送出されるので、毛髪のボリュームアップと毛髪のキューティクルを引き締めることになる。
【００３９】
ハンドル部本体１０からブラシ部１０に流れる空気流は、前記プラスイオン電極針２２が作動状態にあれば、プラスイオンと共に送出されることになり、前記マイナスイオン電極針２３が作動状態にあれば、マイナスイオンと共に送出されることになる。また、ヒータ２１が作動状態にあれば熱風が送出され、ヒータ２１が作動状態になければ冷風が送出される。
【００４０】
したがって、プラスイオン電極針２２が作動状態にあり、ヒータ２１が作動状態になければ、冷風とプラスイオンとが送出される。マイナスイオン電極針２３が作動状態にあり、ヒータ２１が作動状態になければ、冷風とマイナスイオンとが送出される。プラスイオン電極針２２が作動状態にあり、ヒータ２１が作動状態にあれば、熱風とプラスイオンとが送出される。マイナスイオン電極針２３が作動状態にあり、ヒータ２１が作動状態にあれば、熱風とマイナスイオンとが送出される。しかも、後述するように、本実施例においてはプラスイオン電極針２２とマイナスイオン電極針２３とが交互に作動する回路と、プラスイオン電極針２２とマイナスイオン電極針２３とが共に停止する回路とが切り替えられるように構成されているため、冷風又は熱風と共にプラスイオンとマイナスイオンとが交互に送出する場合と冷風又は熱風のみが送出する場合とに切り替えることができるようになっている。
【００４１】
図１０に示すイオン発生機構を示す概略回路図において、ＳＷ１は電源スイッチと風量調整切替スイッチ１３とを兼ねている。ＳＷ２はヒータ切替スイッチ１２である。
【００４２】
ＳＷ３は、タイマー基板を作動させ、これによりプラスイオン発生器及びマイナスイオン発生器を作動させて各電極針からプラスイオン及びマイナスイオンを発生させるスイッチである。
【００４３】
すなわち、ＳＷ３が閉じている場合には、タイマー基板に電流が出力されると、２つの電極針からは交互にプラスイオンとマイナスイオンとが発生することになる。
【００４４】
上記とは逆にＳＷ３が開くと、プラスイオンを発生させるイオン発生器側及びマイナスイオンを発生させるイオン発生器側双方に電流が出力されないので、プラスイオンもマイナスイオンも発生しないイオン発生停止状態となる。
【００４５】
図１１は、ＳＷ３が閉じたときの印加電圧出力波形を示し、当該印加電圧出力波形に示すように１秒おきにプラスイオンとマイナスイオンとが交互に発生することになる。
【００４６】
図１２は、プラスイオンとマイナスイオンとが交互に発生することについて、その時間的間隔を変化させたケース１である。ケース１は、タイマー調整及びパルス制御によりマイナスイオン発生器の作動時間が長くなるように構成した場合である。図においては、プラスイオンとマイナスイオンとが交互に発生する状態を示す印加電圧出力波形が示されている。ケース１においては、プラスイオン０．４秒とマイナスイオン１．６秒とが交互に発生するように設定したものである。もちろん、タイマー調整及びパルス制御によりプラスイオンが発生する時間間隔とマイナスイオンが発生する時間間隔とを適宜変更することができる。
【００４７】
図１３は、プラスイオンとマイナスイオンとが交互に発生することについて、その時間的間隔を変化させたケース２である。ケース２は、タイマー調整及びパルス制御によりプラスイオン発生器の作動時間が長くなるように構成した場合である。図においては、プラスイオンとマイナスイオンとが交互に発生する状態を示す印加電圧出力波形が示されている。ケース２においては、プラスイオン１．６秒とマイナスイオン０．４秒とが交互に発生するように設定したものである。もちろん、タイマー調整及びパルス制御によりプラスイオンが発生する時間間隔とマイナスイオンが発生する時間間隔とを適宜変更することができる。
【００４８】
以上のように実施例１を構成したことにより、前述した本発明の作用が行われ、その効果が発揮される。
【００４９】
［ブラシ部本体の変更例］
図１４〜図１８は、実施例１におけるブラシ部本体５０の変更例であるブラシ部本体１５０を示すものであって、実施例１におけるハンドル部本体１０に着脱可能な構成を備え、ブラシ部本体５０に代えて使用することができるものである。
【００５０】
当該ブラシ部本体１５０は、図１４及び図１８に示すように、一対の対向する上部プレート１６０と下部プレート１７０とから構成される、いわゆる毛髪を挟み込むタイプの狭着型ブラシである。
【００５１】
そして、図１６及び図１７に示すように、上部プレート１６０の下面側に適当間隔をおいて下方向の通気孔１６１が設けられており、下部プレート１７０の上面側に適当間隔をおいて上方向の通気孔１７１が設けられている。
【００５２】
また、図１４、図１７及び図１８に示すように、下部プレートの上面には適当間隔をおいてブラシ部１７２が設けられており、下部プレートの端部に設けられた操作杆１７３を押し下げることにより、ブラシ部１７２を介して毛髪が上部プレート１６０と下部プレート１７０との間に狭着されることになる。
【００５３】
したがって、毛髪が上部プレート１６０と下部プレート１７０との間に狭着されている状態において、通気孔１６１、１７１から、ハンドル部本体１０からの空気が毛髪に流出することになる。
【００５４】
なお、ブラシ部本体１５０の構成は上記のものに限られるものではなく、狭着型であり、挟み込まれた毛髪に対して空気を流出する通気孔を備えるものであればよい。また、ブラシ部７２の構成もこれに限られるものではなく、上下の部レートのいずれか一方又は双方に設ければよい。
【００５５】
上記のブラシ部本体１５０を使用することにより、プラスイオン発生器とマイナスイオン発生器とを交互に作動させる回路において、パルス制御によりマイナスイオン発生器の作動時間が長くなるように設定すれば、毛髪に潤いを補給することができる。
【００５６】
なお、上記実施例１においては、プラスイオン発生器とマイナスイオン発生器とを交互に作動させる回路と、両イオン発生器の作動を停止させる回路とを設けて、これらの回路を切り替えるイオン発生切替スイッチを設けた場合を示したが、これに代えて、例示は省略するが、公知の回路変更により、プラスイオン発生器とマイナスイオン発生器とを交互に作動させる回路と、マイナスイオン発生器のみを作動させる回路とを設けて、これらの回路を切り替えるイオン発生切替スイッチを設けて、プラスイオンとマイナスイオンとの交互発生又はマイナスイオンのみの発生を切り替えるようにしてもよい。さらにこれに代えて、例示は省略するが、公知の回路変更により、プラスイオン発生器とマイナスイオン発生器とを交互に作動させる回路と、マイナスイオン発生器のみを作動させる回路と、両イオン発生器の作動を停止させる回路とを設けて、これらの回路を切り替えるイオン発生切替スイッチを設けて、プラスイオンとマイナスイオンとの交互発生、マイナスイオンのみの発生、又は、両イオンの発生停止を切り替えるようにしてもよい。
【００５７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
Ａ………ブラシ付きヘアドライヤー
１０……ハンドル部本体
１０ａ…着脱操作ボタン
１１……イオン発生切替スイッチ
１１ａ…イオン発生切替スイッチの内蔵パーツ
１２……ヒータ切替スイッチ
１３……風量調整切替スイッチ
２０……ハンドル部本体の前部
２１……ヒータ
２２……プラスイオン電極針（プラスイオン発生器の一部）
２３……マイナスイオン電極針（マイナスイオン発生器の一部）
３０……ハンドル部本体の後部
３１……回路基板
３２……モータ
３３……ファン
３４ａ…イオン発生器用トランス（プラスイオン発生器の一部）
３４ｂ…イオン発生器用トランス（マイナスイオン発生器の一部）
５０……ブラシ部本体
５１……ブラシ
５２……通気孔
１５０…ブラシ部本体
１６０…上部プレート
１７０…下部プレート
１６１…上部プレートに設けた下方向の通気孔
１７１…下部プレートに設けた上方向の通気孔
１７２…ブラシ部
１７３…操作杆
【図１】
2019208648.tif 000003
【図２】
2019208648.tif 000004
【図３】
2019208648.tif 000005
【図４】
2019208648.tif 000006
【図５】
2019208648.tif 000007
【図６】
2019208648.tif 000008
【図７】
2019208648.tif 000009
【図８】
2019208648.tif 000010
【図９】
2019208648.tif 000011
【図１０】
2019208648.tif 000012
【図１１】
2019208648.tif 000013
【図１２】
2019208648.tif 000014
【図１３】
2019208648.tif 000015
【図１４】
2019208648.tif 000016
【図１５】
2019208648.tif 000017
【図１６】
2019208648.tif 000018
【図１７】
2019208648.tif 000019
【図１８】
2019208648.tif 000020